【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
ネットワークを介して接続された複数の端末及びサーバーと、当該サーバーに接続され、著作物データを記億する登録エリアと仮登録エリアとを有する著作物ＤＢ、著作会員データが記憶される登録会員ＤＢ、及び使用会員データが記億される使用会員ＤＢと、を有する著作権管理システムであって、
前記端末は、
入力手段と、
この入力手段により入力された著作会員あるいは使用会員の登録データを、前記サーバーに送信するとともに、前記サーバーからの会員識別データを受信する会員登録手続手段と、
前記入力手段により入力された著作物データ及び前記会員識別データを、前記サーバーに送信する著作物登録手段と、
前記入力手段により入力された所望の著作物データに対する使用許諾を求める使用許諾依頼データを送信するとともに、その使用許諾の判断結果を受信する使用許諾依頼手段と、
を有し、
前記サーバーは、
前記端末からの会員登録データを受信した場合に、前記受信された会員登録データを前記登録会員ＤＢあるいは使用会員ＤＢに記億させる会員登録手段と、
前記会員データの記録に応答して会員識別データを作成するとともに、作成された会員識別データを前記端末に送信する会員識別データ送信手段と、
前記端末からの著作物データ及び会員識別データを受信した場合に、前記受信された会員識別データに基づき登録会員か使用会員かを判別する判別手段と、
この判別手段により登録会員と判別された場合に、前記受信された著作物データを前記著作物ＤＢの登録エリアに記億する著作物データ登録手段と、
前記判別手段により使用会員と判別された場合に、前記受信された著作物データを前記著作物ＤＢの仮登録エリアに記億する著作物データ仮登録手段と、
前記著作物ＤＢの仮登録エリアに記億された著作物データのうち、当該著作物データが記億された時点から所定時間経過した著作物データを消去する消去手段と、
前記使用許諾依頼データを受信した場合に、前記著作物ＤＢに記億された該当する著作物データの使用許諾を与えるか否かを判断するとともに、その判断結果を、送信する使用許諾判断手段と、
を有するサーバーと、
からなる著作権管理システム。
【請求項２】
前記サーバーの著作物データ登録手段は、前記著作物ＤＢの登録エリアに記億する著作物データと同一の著作物データが、前記著作物ＤＢの仮登録エリアに記億されている場合は、当該仮登録エリアにある同一の著作物データを、消去する請求項１記載の著作権管理システム。
【請求項３】
前記著作物データは、著作物本体データ及びその許諾可能な使用形態を示すデータからなり、
前記使用許諾依頼データは、対応する著作物本体データの使用形態を示すデータを含み、
前記サーバーの判断手段は、前記使用許諾依頼データに含まれる使用形態を示すデータと、前記該当する著作物データに含まれる許諾可能な使用形態を示すデータとが一致するか否か判別し、一致する場合は使用許諾を与える旨のデータを、一致しない場合は使用許諾を与えない旨のデータを判断結果として送信する、請求項１記載の著作権管理システム。
【請求項４】
ネットワークを介して複数の端末と接続され、さらに著作物データを記億する登録エリアと仮登録エリアとを有する著作物ＤＢ、著作会員データが記憶される登録会員ＤＢ、及び使用会員データが記億される使用会員ＤＢが接続された著作権管理システムのサーバーであって、
前記端末から送信される著作会員あるいは使用会員の会員登録データを受信した場合に、前記受信された会員登録データを前記登録会員ＤＢあるいは使用会員ＤＢに記億させる会員登録手段と、
前記会員データの記録に応答して会員識別データを作成するとともに、作成された会員識別データを前記端末に送信する会員識別データ送信手段と、
前記端末から送信される著作物データ及び会員識別データを受信した場合に、前記受信された会員識別データに基づき登録会員か使用会員かを判別する判別手段と、
この判別手段により登録会員と判別された場合に、前記受信された著作物データを前記著作物ＤＢの登録エリアに記億する著作物データ登録手段と、
前記判別手段により使用会員と判別された場合に、前記受信された著作物データを前記著作物ＤＢの仮登録エリアに記億する著作物データ仮登録手段と、
前記著作物ＤＢの仮登録エリアに記億された著作物データのうち、当該著作物データが記億された時点から所定時間経過した著作物データを消去する消去手段と、
使用許諾データを受信した場合に、前記著作物ＤＢに記億された該当する著作物データの使用許諾を与えるか否かを判断するとともに、その判断結果を、送信する使用許諾判断手段と、
を有する著作権管理システムのサーバー。
【請求項５】
ネットワークを介して複数の端末と接続され、さらに著作物データを記億する登録エリアと仮登録エリアとを有する著作物ＤＢ、著作会員データが記憶される登録会員ＤＢ、及び使用会員データが記億される使用会員ＤＢが接続された著作権管理システムのサーバーとして用いられるコンピュータに、
前記端末から送信される著作会員あるいは使用会員の会員登録データを受信した場合に、前記受信された会員登録データを前記登録会員ＤＢあるいは使用会員ＤＢに記億させる会員登録ステップと、
前記会員データの記録に応答して会員識別データを作成するとともに、作成された会員識別データを前記端末に送信する会員識別データ送信ステップと、
前記端末から送信される著作物データ及び会員識別データを受信した場合に、前記受信された会員識別データに基づき登録会員か使用会員かを判別する判別ステップと、
登録会員と判別された場合に、前記受信された著作物データを前記著作物ＤＢの登録エリアに記億する著作物データ登録ステップと、
使用会員と判別された場合に、前記受信された著作物データを前記著作物ＤＢの仮登録エリアに記億する著作物データ仮登録ステップと、
前記著作物ＤＢの仮登録エリアに記億された著作物データのうち、当該著作物データが記億された時点から所定時間経過した著作物データを消去する消去ステップと、
使用許諾データを受信した場合に、前記著作物ＤＢに記億された該当する著作物データの使用許諾を与えるか否かを判断するとともに、その判断結果を、送信する使用許諾判断ステップと、
を実行させる著作権管理のプログラム。
【手続補正２】
【補正対象書類名】明細書
【補正対象項目名】発明の名称
【補正方法】変更
【補正の内容】
【発明の名称】著作権管理システム、著作権管理システムのサーバーおよび著作権管理のプログラム
【手続補正３】
【補正対象書類名】明細書
【補正対象項目名】０００１
【補正方法】変更
【補正の内容】
【０００１】
本発明は、著作権管理システム、著作権管理システムのサーバーおよび著作権管理のプログラムに関し、特に、ネットワークを介して接続された任意の通信端末から著作物の登録申し込みおよび登録されている著作物に対する使用許可の申し込みに対して著作物の管理を行う著作権管理システム、著作権管理システムのサーバーおよび著作権管理のプログラムに関する。
【手続補正４】
【補正対象書類名】明細書
【補正対象項目名】０００５
【補正方法】変更
【補正の内容】
【０００５】
請求項１に記載の著作権管理システムは、ネットワークを介して接続された複数の端末及びサーバーと、当該サーバーに接続され、著作物データを記億する登録エリアと仮登録エリアとを有する著作物ＤＢ、著作会員データが記憶される登録会員ＤＢ、及び使用会員データが記億される使用会員ＤＢと、を有する著作権管理システムであって、
前記端末は、
入力手段と、
この入力手段により入力された著作会員あるいは使用会員の登録データを、前記サーバーに送信するとともに、前記サーバーからの会員識別データを受信する会員登録手続手段と、
前記入力手段により入力された著作物データ及び前記会員識別データを、前記サーバーに送信する著作物登録手段と、
前記入力手段により入力された所望の著作物データに対する使用許諾を求める使用許諾依頼データを送信するとともに、その使用許諾の判断結果を受信する使用許諾依頼手段と、
を有し、
前記サーバーは、
前記端末からの会員登録データを受信した場合に、前記受信された会員登録データを前記登録会員ＤＢあるいは使用会員ＤＢに記億させる会員登録手段と、
前記会員データの記録に応答して会員識別データを作成するとともに、作成された会員識別データを前記端末に送信する会員識別データ送信手段と、
前記端末からの著作物データ及び会員識別データを受信した場合に、前記受信された会員識別データに基づき登録会員か使用会員かを判別する判別手段と、
この判別手段により登録会員と判別された場合に、前記受信された著作物データを前記著作物ＤＢの登録エリアに記億する著作物データ登録手段と、
前記判別手段により使用会員と判別された場合に、前記受信された著作物データを前記著作物ＤＢの仮登録エリアに記億する著作物データ仮登録手段と、
前記著作物ＤＢの仮登録エリアに記億された著作物データのうち、当該著作物データが記億された時点から所定時間経過した著作物データを消去する消去手段と、
前記使用許諾依頼データを受信した場合に、前記著作物ＤＢに記億された該当する著作物データの使用許諾を与えるか否かを判断するとともに、その判断結果を、送信する使用許諾判断手段と、
を有することを特徴とする。
【手続補正５】
【補正対象書類名】明細書
【補正対象項目名】０００６
【補正方法】変更
【補正の内容】
【０００６】
請求項２に記載の著作権管理システムにおいて、前記サーバーの著作物データ登録手段は、前記著作物ＤＢの登録エリアに記億する著作物データと同一の著作物データが、前記著作物ＤＢの仮登録エリアに記億されている場合は、当該仮登録エリアにある同一の著作物データを、消去することを特徴とする。
【手続補正６】
【補正対象書類名】明細書
【補正対象項目名】０００７
【補正方法】変更
【補正の内容】
【０００７】
請求項３に記載の著作権管理システムは、前記著作物データは、著作物本体データ及びその許諾可能な使用形態を示すデータからなり、
前記使用許諾依頼データは、対応する著作物本体データの使用形態を示すデータを含み、
前記サーバーの判断手段は、前記使用許諾依頼データに含まれる使用形態を示すデータと、前記該当する著作物データに含まれる許諾可能な使用形態を示すデータとが一致するか否か判別し、一致する場合は使用許諾を与える旨のデータを、一致しない場合は使用許諾を与えない旨のデータを判断結果として送信することを特徴とする。
【手続補正７】
【補正対象書類名】明細書
【補正対象項目名】０００８
【補正方法】変更
【補正の内容】
【０００８】
請求項４に記載の著作権管理システムのサーバーは、ネットワークを介して複数の端末と接続され、さらに著作物データを記億する登録エリアと仮登録エリアとを有する著作物ＤＢ、著作会員データが記憶される登録会員ＤＢ、及び使用会員データが記億される使用会員ＤＢが接続された著作権管理システムのサーバーであって、
前記端末から送信される著作会員あるいは使用会員の会員登録データを受信した場合に、前記受信された会員登録データを前記登録会員ＤＢあるいは使用会員ＤＢに記億させる会員登録手段と、
前記会員データの記録に応答して会員識別データを作成するとともに、作成された会員識別データを前記端末に送信する会員識別データ送信手段と、
前記端末から送信される著作物データ及び会員識別データを受信した場合に、前記受信された会員識別データに基づき登録会員か使用会員かを判別する判別手段と、
この判別手段により登録会員と判別された場合に、前記受信された著作物データを前記著作物ＤＢの登録エリアに記億する著作物データ登録手段と、
前記判別手段により使用会員と判別された場合に、前記受信された著作物データを前記著作物ＤＢの仮登録エリアに記億する著作物データ仮登録手段と、
前記著作物ＤＢの仮登録エリアに記億された著作物データのうち、当該著作物データが記億された時点から所定時間経過した著作物データを消去する消去手段と、
使用許諾データを受信した場合に、前記著作物ＤＢに記億された該当する著作物データの使用許諾を与えるか否かを判断するとともに、その判断結果を、送信する使用許諾判断手段と、
を有することを特徴とする。
【手続補正８】
【補正対象書類名】明細書
【補正対象項目名】０００９
【補正方法】変更
【補正の内容】
【０００９】
請求項５に記載の著作権管理のプログラムは、ネットワークを介して複数の端末と接続され、さらに著作物データを記億する登録エリアと仮登録エリアとを有する著作物ＤＢ、著作会員データが記憶される登録会員ＤＢ、及び使用会員データが記億される使用会員ＤＢが接続された著作権管理システムのサーバーとして用いられるコンピュータに、
前記端末から送信される著作会員あるいは使用会員の会員登録データを受信した場合に、前記受信された会員登録データを前記登録会員ＤＢあるいは使用会員ＤＢに記億させる会員登録ステップと、
前記会員データの記録に応答して会員識別データを作成するとともに、作成された会員識別データを前記端末に送信する会員識別データ送信ステップと、
前記端末から送信される著作物データ及び会員識別データを受信した場合に、前記受信された会員識別データに基づき登録会員か使用会員かを判別する判別ステップと、
登録会員と判別された場合に、前記受信された著作物データを前記著作物ＤＢの登録エリアに記億する著作物データ登録ステップと、
使用会員と判別された場合に、前記受信された著作物データを前記著作物ＤＢの仮登録エリアに記億する著作物データ仮登録ステップと、
前記著作物ＤＢの仮登録エリアに記億された著作物データのうち、当該著作物データが記億された時点から所定時間経過した著作物データを消去する消去ステップと、
使用許諾データを受信した場合に、前記著作物ＤＢに記億された該当する著作物データの使用許諾を与えるか否かを判断するとともに、その判断結果を、送信する使用許諾判断ステップと、
を実行させることを特徴とする。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】